(57)【要約】【課題】偏向走査部の発熱に伴う温度変化を従来よりも高い精度で検知する光走査装置を提供する。【解決手段】光源と、前記光源からの光を被走査体に偏向走査する偏向走査部と、前記偏向走査部および前記被走査体の間に配設された光学部と、温度センサと、前記光源、前記偏向走査部および前記光学部を収納する収納箱を備え、前記収納箱の前記偏向走査部から予め定められた範囲の一部の領域に凹部が形成され、前記凹部内に前記温度センサが設けられたことを特徴とする光走査装置。【選択図】図１２（Ａ）
2018146728.tif 000002
【特許請求の範囲】
【請求項１】
光源と、前記光源からの光を被走査体に偏向走査する偏向走査部と、前記偏向走査部および前記被走査体の間に配設された光学部と、温度センサと、前記光源、前記偏向走査部および前記光学部を収納する収納箱を備え、
前記収納箱の前記偏向走査部から予め定められた範囲の一部の領域に凹部が形成され、前記凹部内に前記温度センサが設けられたことを特徴とする光走査装置。
【請求項２】
前記予め定められた範囲は、前記偏向走査部を中心として、前記偏向走査部の中心から前記光学部までの距離を半径とする円領域内の範囲である請求項１に記載の光走査装置。
【請求項３】
前記収納箱は、前記偏向走査部を収納する収納ケースを備え、
前記収納ケースの内面または外面の一部の領域に凹部が形成され、前記凹部内に前記温度センサが設けられた請求項１または２に記載の光走査装置。
【請求項４】
前記収納ケースは上面を有し、前記凹部は前記上面の一部の領域に形成された請求項３に記載の光走査装置。
【請求項５】
前記収納ケースは側面を有し、前記凹部は前記側面の一部の領域に形成された請求項３に記載の光走査装置。
【請求項６】
前記凹部は、前記収納ケースの内面または外面の一部に設けられたリブ状の囲み構造によって形成された請求項３〜５のいずれか１つに記載の光走査装置。
【請求項７】
前記凹部は、蓋部を有する請求項１〜６のいずれか１つに記載の光走査装置。
【請求項８】
前記蓋部は、基板であり、前記温度センサは、前記蓋部に設けられた請求項７に記載の光走査装置。
【請求項９】
前記温度センサは、弾性部材を介して前記凹部内に設けられ、
前記弾性部材は、前記温度センサおよび前記凹部が形成された面と接触し、前記凹部が形成された面の熱を前記温度センサに伝達する熱伝導性を有する請求項１〜８のいずれか１つに記載の光走査装置。
【請求項１０】
請求項１〜９のいずれか１つに記載の光走査装置を備えた画像形成装置。
【発明の詳細な説明】
【技術分野】
【０００１】
この発明は、プリンタ、複写機、ファクシミリ等の画像形成装置において、デジタル信号からなる画像情報に対応するレーザー光を帯電状態にある感光体ドラムの表面に照射して、静電潜像を形成する光走査装置および前記光走査装置を備えた画像形成装置に関する。
【背景技術】
【０００２】
従来、光走査装置（レーザー・スキャニング・ユニット：ＬＳＵ）で複数色の画像を重ね合わせてカラー画像を形成する次のような構成の画像形成装置が知られている。イエロー、マゼンタおよびシアンの各色に対応する複数の潜像担持体（例えばドラム状の感光体ユニット、感光体ドラムともいう）の表面にレーザー等の光ビームを走査することにより、各潜像担持体にそれぞれの潜像を書き込む。そして、それらの潜像を現像して各潜像担持体上に各色の画像を形成し、各潜像担持体から画像担持体（転写ベルト）へと各色の画像を転写して、画像担持体上に各色の画像を重ねて形成する。さらに、画像担持体から印刷シートへと各色の画像を転写して、印刷シート上にカラー画像を形成する。
【０００３】
このような構成の画像形成装置において、光ビームを感光体ユニットの表面に偏向走査するポリゴンミラーの表面が塵や結露等によって曇ることがあり、カラー画像の品質が劣化するという問題がある。また、ポリゴンミラーを高速で回転駆動するポリゴンモーターからの騒音や発熱が生じることもある。
【０００４】
このような問題を解決すべく、従来、ポリゴンモーターやポリゴンミラーを密閉ケース内に収納する発明が開示されている（例えば、特許文献１参照）。
【０００５】
一方、ポリゴンモーターの回転に伴う発熱によってケース内の温度が上昇し、Ｆθレンズ等の光学部品が熱膨張することにより、レンズを通過した光軸が設計値から変化することがある。その結果、感光体ドラムの表面への光ビームの照射位置が主走査方向に変動することによる色ずれが発生することがある。
【０００６】
ここで、ポリゴンモーターの発熱による温度上昇と、光ビームの主走査方向の色ずれ量とが概ね比例関係にある場合、光走査装置内の温度をサーミスタ等の温度センサで測定し、色ずれ量を推定することによって、色ずれ量を補正することが可能となる。
【０００７】
このような色ずれ量の補正の発明として、光走査装置の内部および周辺の温度変化に対する画像担持体の各色の色ずれ量の特性を示したテーブルを参照して、潜像の書き込みタイミングを制御することにより、各色の画像の位置を補正する発明が開示されている（例えば、特許文献２参照）。
【０００８】
また、Ｆθレンズの上面等に設けられた温度センサにより検出された温度に基づいて感光体と光走査操作装置との相対位置を調整することにより、走査線の位置ズレ等を調整し、印字品質の向上を実現する発明も開示されている（例えば、特許文献３参照）。
【先行技術文献】
【特許文献】
【０００９】
【特許文献１】特開２００２−２１４５５８８号公報
【特許文献２】特開２０１３−２０１４２号公報
【特許文献３】特開２００６−１８９５６７号公報
【発明の概要】
【発明が解決しようとする課題】
【００１０】
しかしながら、ポリゴンミラーおよびポリゴンモーター等の偏向走査部の収納ケース内にサーミスタ等の温度センサを設けた場合、ポリゴンモーターの回転時に発生した層流が乱流になって異音が生じるおそれがある。
また、Ｆθレンズ等の光学部品上に温度センサを設けた場合、光学部品の光学性能に悪影響が生じるおそれがあり、また、ビス等で温度センサをレンズ上に固定することは困難である。
【００１１】
このような問題を回避するには、偏向走査部の収納ケース外に温度センサを設ける必要があるが、この場合、温度センサの設置位置によっては、ポリゴンモーターの発熱による温度上昇と、光ビームの主走査方向の色ずれ量とが比例関係から外れることがあり、色ずれ補正の精度が低くなるという問題があった。
【００１２】
この発明は、このような課題に鑑みなされたものであり、偏向走査部の発熱に伴う温度上昇を適切に検知して色ずれ補正の精度を高めるべく、偏向走査部の発熱に伴う温度変化を従来よりも高い精度で検知する光走査装置および前記光走査装置を備えた画像形成装置を提供することを目的とする。
【課題を解決するための手段】
【００１３】
この発明は、光源と、前記光源からの光を被走査体に偏向走査する偏向走査部と、前記偏向走査部および前記被走査体の間に配設された光学部と、温度センサと、前記光源、前記偏向走査部および前記光学部を収納する収納箱を備え、前記収納箱の前記偏向走査部から予め定められた範囲の一部の領域に凹部が形成され、前記凹部内に前記温度センサが設けられたことを特徴とする光走査装置を提供するものである。
また、この発明は、前記光走査装置を備えた画像形成装置を提供するものである。
【発明の効果】
【００１４】
この発明によれば、偏向走査部の発熱に伴う温度変化を従来よりも高い精度で検知する光走査装置および前記光走査装置を備えた画像形成装置を実現できる。
【図面の簡単な説明】
【００１５】
【図１】この発明の実施形態１に係る光走査装置を備えた画像形成装置の概略構成を示す断面図である。
【図２】図１に示す画像形成装置の制御系の概略構成を示すブロック図である。
【図３】この発明の光走査装置の上蓋を装着した筐体の斜視図である。
【図４】図３に示す光走査装置の上蓋を外した筐体内部の斜視図である。
【図５】図３に示す光走査装置の平面図である。
【図６】図４に示す光走査装置の平面図である。
【図７（Ａ）】図６に示す光走査装置のＡ−Ａ矢視断面図である。
【図７（Ｂ）】図６に示す光走査装置のＢ−Ｂ矢視断面図である。
【図８（Ａ）】本願発明のサーミスタ８０の配置の一例を示す説明図である。
【図８（Ｂ）】本願発明のサーミスタ８０の配置の別の一例を示す説明図である。
【図９】従来のサーミスタの配置の一例を示す説明図である。
【図１０】収納ケースから離れた平坦部にサーミスタを設けたときの温度測定の結果を示すグラフである。
【図１１（Ａ）】収納ケースから離れた平坦部にサーミスタを設けたときのサーミスタの温度とＣＭＹＫ各色の主走査方向の色ずれ量との関係を示すグラフである。
【図１１（Ｂ）】収納ケースから離れた平坦部にサーミスタを設けたときのＦθレンズ第１レンズの温度とＣＭＹＫ各色の主走査方向の色ずれ量との関係を示すグラフである。
【図１２（Ａ）】この発明の実施形態１に係る収納ケースにおけるサーミスタの配置の一例を示す説明図である。
【図１２（Ｂ）】この発明の実施形態１に係る収納ケースにおけるサーミスタの配置の変形例を示す説明図である。
【図１２（Ｃ）】この発明の実施形態１に係る収納ケースにおけるサーミスタの配置の変形例を示す説明図である。
【図１３】収納ケースの上面の凹部にサーミスタを設けたときの温度測定の結果を示すグラフである。
【図１４】収納ケースの上面の凹部にサーミスタを設けたときのサーミスタの温度とＣＭＹＫ各色の主走査方向の色ずれ量との関係を示すグラフである。
【図１５（Ａ）】この発明の実施形態２に係る収納ケースにおけるサーミスタの配置の一例を示す説明図である。
【図１５（Ｂ）】この発明の実施形態２に係る収納ケースにおけるサーミスタの配置の一例を示す説明図である。
【図１６（Ａ）】この発明の実施形態３に係る収納ケースにおけるサーミスタの配置の一例を示す説明図である。
【図１６（Ｂ）】図１６（Ａ）のサーミスタを副走査方向Ｙから見たときの説明図である。
【図１６（Ｃ）】この発明の実施形態３に係る収納ケースにおけるサーミスタの配置の変形例を示す説明図である。
【図１７（Ａ）】この発明の実施形態４に係る収納ケースにおけるサーミスタの配置の一例を示す説明図である。
【図１７（Ｂ）】図１７（Ａ）のサーミスタを副走査方向Ｙから見たときの説明図である。
【図１７（Ｃ）】この発明の実施形態４に係る収納ケースにおけるサーミスタの配置の変形例を示す説明図である。
【図１８（Ａ）】この発明の実施形態５に係る収納ケースにおけるサーミスタの配置の一例を示す説明図である。
【図１８（Ｂ）】この発明の実施形態５に係る収納ケースにおけるサーミスタの配置の変形例を示す説明図である。
【図１９（Ａ）】この発明の実施形態６に係る収納ケースにおけるサーミスタの配置の一例を示す説明図である。
【図１９（Ｂ）】この発明の実施形態６に係る収納ケースにおけるサーミスタの配置の変形例を示す説明図である。
【図２０】この発明の実施形態７に係る収納ケースにおけるサーミスタの配置の一例を示す説明図である。
【発明を実施するための形態】
【００１６】
（ｉ）この発明の光走査装置は、光源と、前記光源からの光を被走査体に偏向走査する偏向走査部と、前記偏向走査部および前記被走査体の間に配設された光学部と、温度センサと、前記光源、前記偏向走査部および前記光学部を収納する収納箱を備え、前記収納箱の前記偏向走査部から予め定められた範囲の一部の領域に凹部が形成され、前記凹部内に前記温度センサが設けられたことを特徴とする。
また、この発明の画像形成装置は、前記光走査装置を備えたことを特徴とする。
【００１７】
この発明において、「光走査装置」は、複写機やファクシミリ等の画像形成装置において、デジタル信号からなる画像情報に対応するレーザー光を帯電状態にある感光体ドラムの表面に照射して、静電潜像を形成する装置である。
また、「画像形成装置」は、プリンタなどの複写（コピー機能）機能を有する複写機や複合機など、画像を形成して出力する装置である。
また、「前記偏向走査部から予め定められた範囲」は、例えば、偏向走査部を中心として、偏向走査部の中心から光学部までの距離を半径とする円領域内の範囲である。
また、前記光学部が、偏向走査部から被走査体までの間に配設された複数の光学部材からなる場合、前記範囲は、偏向走査部を中心として偏向走査部の中心から偏向走査部にもっとも近い（偏向走査部側の）光学部材までの距離を半径とする円領域内の範囲である。
なお、実施形態１の場合、偏向走査部の中心は、ポリゴンモーター４３の回転軸であり、偏向走査部にもっとも近い光学部材は、Ｆθ第１レンズ６３ａである。
また、前記範囲は、例えば、ポリゴンモーター４３の回転軸を中心として、Ｆθ第１レンズ６３ａの全体を内部に含む円領域のうち、最小の半径を有する円領域内の範囲であってもよい。
また、例えば、前記範囲を、偏向走査部から約１ｃｍ〜１０ｃｍの範囲、より好ましくは約１ｃｍ〜５ｃｍの範囲、より好ましくは約１ｃｍ〜２ｃｍの範囲としてもよい。
【００１８】
この発明の「光源」は、例えば、第１半導体レーザー４４ａ、第２半導体レーザー４４ｂ、第３半導体レーザー４４ｃまたは第４半導体レーザー４４ｄによって実現される。また、この発明の「被走査体」は、感光体ドラム１３Ｙ，１３Ｍ，１３Ｃまたは１３Ｋによって実現される。また、この発明の「偏向走査部」は、ポリゴンミラー４２およびポリゴンモーター４３等によって実現される。また、この発明の「光学部」は、例えば、第１半導体レーザー４４ａを光源とする場合、Ｆθ第２レンズ６３ｂ1および２つの反射ミラー６４ａ1および６４ａ2等によって実現される。また、この発明の「収納箱」は、筐体４１によって実現される。また、この発明の「温度センサ」は、サーミスタ８０によって実現される。
【００１９】
また、この発明の光走査装置は、次のように構成されてもよく、それらが適宜組み合わされてもよい。
【００２０】
（ii）前記偏向走査部を中心として、前記偏向走査部の中心から前記光学部までの距離を半径とする円領域内の範囲であってもよい。
このようにすれば、前記偏向走査部を中心として、前記偏向走査部の中心から前記光学部までの距離を半径とする円領域内の範囲の一部の領域に形成された凹部内に温度センサを設けることによって、偏向走査部の発熱に伴う温度変化を従来よりも高い精度で検知する光走査装置を実現できる。
【００２１】
（iii）前記収納箱は、前記偏向走査部を収納する収納ケースを備え、前記収納ケースの内面または外面の一部の領域に凹部が形成され、前記凹部内に前記温度センサが設けられたものであってもよい。
このようにすれば、偏向走査部を収納するケースの内面または外面に形成された凹部内に温度センサを設けることによって、偏向走査部の発熱に伴う温度変化を従来よりも高い精度で検知する光走査装置を実現できる。
【００２２】
この発明の「収納ケース」は、収納ケースＳＣによって実現される。
【００２３】
（iv）前記収納ケースは上面を有し、前記凹部は前記上面の一部の領域に形成されたものであってもよい。
このようにすれば、偏向走査部を収納するケースの上面に形成された凹部内に温度センサを設けることによって、偏向走査部の発熱に伴う温度変化を従来よりも高い精度で検知する光走査装置を実現できる。
【００２４】
（ｖ）前記収納ケースは側面を有し、前記凹部は前記側面の一部の領域に形成されたものであってもよい。
このようにすれば、偏向走査部を収納するケースの側面に形成された凹部内に温度センサを設けることによって、偏向走査部の発熱に伴う温度変化を従来よりも高い精度で検知する光走査装置を実現できる。
【００２５】
（vi）前記凹部は、前記収納ケースの内面または外面の一部に設けられたリブ状の囲み構造によって形成されたものであってもよい。
このようにすれば、偏向走査部を収納するケースの側面に形成されたリブ状の囲み構造内に温度センサを設けることによって、偏向走査部の発熱に伴う温度変化を従来よりも高い精度で検知する光走査装置を実現できる。
【００２６】
（vii）前記凹部は、蓋部を有するものであってもよい。
このようにすれば、偏向走査部を収納するケースの側面に形成された凹部内に温度センサを設け、蓋部で蓋をすることによって、偏向走査部の発熱に伴う温度変化を従来よりも高い精度で検知する光走査装置を実現できる。
【００２７】
（viii）前記蓋部は、基板であり、前記温度センサは、前記蓋部に設けられたものであってもよい。
このようにすれば、偏向走査部を収納するケースの側面に形成された凹部を、温度センサを設けた基板で蓋をすることによって、偏向走査部の発熱に伴う温度変化を従来よりも高い精度で検知する光走査装置を実現できる。
【００２８】
（ix）前記温度センサは、弾性部材を介して前記凹部内に設けられ、前記弾性部材は、前記温度センサおよび前記凹部が形成された面と接触し、前記凹部が形成された面の熱を前記温度センサに伝達する熱伝導性を有するものであってもよい。
このようにすれば、偏向走査部を収納するケースの上面に形成された凹部内に熱伝導性を有する弾性部材を介して温度センサを設けることによって、偏向走査部の発熱に伴う温度変化を従来よりも高い精度で検知して色ずれ補正の精度を高める光走査装置を実現できる。
【００２９】
（実施形態１）
以下、図面を用いてこの発明をさらに詳述する。なお、以下の説明は、すべての点で例示であって、この発明を限定するものと解されるべきではない。
【００３０】
図１は、この発明の光走査装置１１を備えた画像形成装置１００を示す断面図である。また、図２は、図１に示す画像形成装置１００の制御系の概略構成を示すブロック図である。
【００３１】
≪画像形成装置１００の構成≫
この画像形成装置１００においては、ブラック（Ｂｋ）、シアン（Ｃｙ）、マゼンタ（Ｍｇ）、イエロー（Ｙｅ）の各色を用いたカラー画像を印刷シートに印刷する。あるいは、単色（例えばブラック）を用いたモノクロ画像を印刷シートに印刷する。このため、現像装置１２、感光体ドラム１３、ドラムクリーニング装置１４、および帯電器１５等は、それぞれ４個ずつ設けられる。各色に応じた４種類のトナー像を形成するために、それぞれがブラック、シアン、マゼンタ、およびイエローに対応付けられて、４つの画像形成ステーションＰａ、Ｐｂ、Ｐｃ、Ｐｄが構成されている。
【００３２】
各画像形成ステーションＰａ、Ｐｂ、Ｐｃ、Ｐｄのいずれにおいても、次のようにしてトナー像が形成される。ドラムクリーニング装置１４が、感光体ドラム１３Ｙ、１３Ｍ、１３Ｃおよび１３Ｋ表面の残留トナーを除去および回収する。その後、帯電器１５により感光体ドラム１３Ｙ、１３Ｍ、１３Ｃおよび１３Ｋの表面が所定の電位に均一に帯電される。そして、帯電した前記表面が光走査装置１１により露光されて前記表面に静電潜像が形成される。その後、現像装置１２により前記静電潜像が現像される。これにより、各感光体ドラム１３Ｙ、１３Ｍ、１３Ｃおよび１３Ｋ表面に各色のトナー像が形成される。
【００３３】
また、中間転写ベルト２１は、矢印Ｃの方向に周回移動する。ベルトクリーニング装置２２は、周回移動する中間転写ベルト２１の残留トナーを除去および回収する。そして、各感光体ドラム１３Ｙ、１３Ｍ、１３Ｃおよび１３Ｋ表面の各色のトナー像が中間転写ベルト２１に順次転写して重ね合わせられる。このようにして、中間転写ベルト２１上にカラーのトナー像が形成される。
【００３４】
中間転写ベルト２１と２次転写装置２３の転写ローラ２３ａとの間にはニップ域が形成されている。Ｓ字状のシート搬送経路Ｒ１を通じて搬送されてきた印刷シートは、そのニップ域に挟まれて搬送されつつ、中間転写ベルト２１表面のカラーのトナー像が転写される。ニップ域を通過した印刷シートは、定着装置１７の加熱ローラ２４と加圧ローラ２５との間に挟み込まれて加熱および加圧され、印刷シート上のカラーのトナー像が定着される。
【００３５】
また、レジストセンサ８１は、中間転写ベルト２１の周回移動に伴い、副走査方向Ｙに搬送される中間転写ベルト２１上に形成されたテストパターンを検出する。
【００３６】
前記印刷シートは、ピックアップローラ３３により給送トレイ１８から引出されて、シート搬送経路Ｒ１を通じて搬送される。そして、２次転写装置２３や定着装置１７を経由し、排出ローラ３６を介して排出トレイ３９へと搬出される。このシート搬送経路Ｒ１には、印刷シートを一旦停止させて印刷シートの先端を揃えるレジストローラ３４が配置されている。レジストローラ３４は、印刷シートを一旦停止させた後、中間転写ベルト２１と転写ローラ２３ａ間のニップ域でのトナー像の転写タイミングに合わせて搬送する。またシート搬送経路Ｒ１には、印刷シートの搬送を促す搬送ローラ３５等が配置されている。
【００３７】
≪制御系の構成≫
図２において、制御部１０１は、画像形成装置１００を統合的に制御するものであって、ＣＰＵ、ＲＡＭ、ＲＯＭ、各種のインターフェース等からなる。
【００３８】
印刷部１０２は、電子写真方式により印刷画像を印刷シートに印刷する。印刷部１０２は、図１における光走査装置１１、現像装置１２、感光体ドラム１３Ｙ、１３Ｍ、１３Ｃおよび１３Ｋ、ドラムクリーニング装置１４および帯電器１５を含んで構成される。さらに、中間転写ベルト２１、定着装置１７、シート搬送経路Ｒ１、給送トレイ１８、および排出トレイ３９等を含んで構成される。
【００３９】
また、入力操作部１０３は、例えば複数の入力キーやタッチパネル機能を有する液晶表示装置からなる。
メモリ１０４は、例えばハードディスク装置（ＨＤＤ）やフラッシュメモリ等不揮発性の記憶手段であって、種々のデータやプログラムを格納する。
【００４０】
例えば、制御部１０１は、画像読取装置１１１および原稿搬送装置１１２を制御して、原稿搬送装置１１２により原稿を搬送する。そして、画像読取装置１１１により原稿の画像を読取らせ、原稿の画像を示す画像データをメモリ１０４に格納する。さらに、印刷部１０２を制御して、印刷部１０２でメモリ１０４内の画像データによって示される原稿の画像を印刷シートに印刷させる。
【００４１】
＜光走査装置１１および光学系の構成＞
次に、図３〜図７に基づき、この発明の第１実施形態に係る画像形成装置１００の光走査装置１１の詳細な構成について説明する。
図３は、この発明に係る光走査装置１１の上蓋４１ｔを装着した筐体４１の斜視図である。また、図４は、図３に示す光走査装置１１の上蓋４１ｔを外した筐体４１内部の斜視図である。また、図５は、図３に示す光走査装置１１の平面図である。また、図６は、図４に示す光走査装置１１の平面図である。また、図７（Ａ）は、図６に示す光走査装置１１のＡ−Ａ矢視断面図である。また、図７（Ｂ）は、図６に示す光走査装置１１のＢ−Ｂ矢視断面図である。
【００４２】
なお、主走査方向Ｘと直交する方向を副走査方向Ｙとし、主走査方向Ｘおよび副走査方向Ｙと直交する方向（ポリゴンモーター４３の回転軸の長手方向）を高さ方向Ｚとする。
【００４３】
筐体４１は、矩形状の底板４１ａおよび底板４１ａを囲む４つの側板４１ｂ、４１ｃを有している。
また、底板４１ａにポリゴンモーター４３が固定され、底板４１ａの中央から主走査方向Ｘおよび副走査方向Ｙの反対側に偏った位置にポリゴンモーター４３の回転軸に平面視多角形のポリゴンミラー４２の回転中心が接続固定される。そして、ポリゴンモーター４３が駆動すると、ポリゴンミラー４２が回転する。
ポリゴンミラー４２は、収納ケースＳＣ内に収容される。
【００４４】
光走査装置１１は、第１〜第４半導体レーザー４４ａ〜４４ｄの各光束Ｌ１〜Ｌ４をポリゴンミラー４２へと導く第１〜第４入射光学系を設けている。
【００４５】
第１入射光学系は、コリメータレンズ５３ａ、アパーチャー５４ａ、第１半導体レーザー４４ａと同じ高さに配置されたミラー５５ａおよびシリンドリカルレンズ５６等からなる。
第２入射光学系は、コリメータレンズ５３ｂ、アパーチャー５４ｂ、第２半導体レーザー４４ｂと同じ高さに配置されたミラー５５ｂおよびシリンドリカルレンズ５６等からなる。
第３入射光学系は、コリメータレンズ５３ｃ、アパーチャー５４ｃ、第３半導体レーザー４４ｃと同じ高さに配置されたミラー５５ｃおよびシリンドリカルレンズ５６等からなる。
第４入射光学系は、コリメータレンズ５３ｄ、アパーチャー５４ｄ、第４半導体レーザー４４ｄと同じ高さに配置されたミラー５５ｄおよびシリンドリカルレンズ５６等からなる。
【００４６】
さらに、第１〜第４結像光学系を設けている。
第１結像光学系は、ポリゴンミラー４２で反射された第１半導体レーザー４４ａの光束Ｌ１をイエローに対応する感光体ドラム１３Ｙへと導く。
第２結像光学系は、ポリゴンミラー４２で反射された第２半導体レーザー４４ｂの光束Ｌ２をマゼンタに対応する感光体ドラム１３Ｍへと導く。
第３結像光学系は、ポリゴンミラー４２で反射された第３半導体レーザー４４ｃの光束Ｌ３をシアンに対応する感光体ドラム１３Ｃへと導く。
第４結像光学系は、ポリゴンミラー４２で反射された第４半導体レーザー４４ｄの光束Ｌ４をブラックに対応する感光体ドラム１３Ｋへと導く。
【００４７】
第１結像光学系は、Ｆθ第２レンズ６３ｂ1および２つの反射ミラー６４ａ1および６４ａ2等からなる。
第２結像光学系は、Ｆθ第２レンズ６３ｂ2および２つの反射ミラー６４ｂ1および６４ｂ2等からなる。
第３結像光学系は、Ｆθ第２レンズ６３ｂ3および２つの反射ミラー６４ｃ1および６４ｃ2等からなる。
第４結像光学系は、Ｆθ第２レンズ６３ｂ4および反射ミラー６４ｄ等からなる。
【００４８】
次に、各半導体レーザー４４ａ〜４４ｄの各光束Ｌ１〜Ｌ４がそれぞれの感光体ドラム１３Ｙ、１３Ｍ、１３Ｃおよび１３Ｋの走査面上に入射するまでの各光路について説明する。
【００４９】
まず、第１入射光学系において、第１半導体レーザー４４ａの光束Ｌ１は、コリメータレンズ５３ａを透過して平行光にされ、アパーチャー５４ａで光量を絞られて、ミラー５５ａに入射して反射され、シリンドリカルレンズ５６を透過してポリゴンミラー４２の反射面に入射する。
また、第２入射光学系において、第２半導体レーザー４４ｂの光束Ｌ２は、コリメータレンズ５３ｂを透過して平行光にされ、アパーチャー５４ｂで光量を絞られて、ミラー５５ｂに入射して反射され、シリンドリカルレンズ５６を透過してポリゴンミラー４２の反射面に入射する。
また、第３入射光学系において、第３半導体レーザー４４ｃの光束Ｌ３は、コリメータレンズ５３ｃを透過して平行光にされ、アパーチャー５４ｃで光量を絞られて、ミラー５５ｃに入射して反射され、シリンドリカルレンズ５６を透過してポリゴンミラー４２の反射面に入射する。
また、第４入射光学系において、第４半導体レーザー４４ｄの光束Ｌ４は、コリメータレンズ５３ｄを透過して平行光にされ、アパーチャー５４ｄで光量を絞られて、ミラー５５ｄに入射して反射され、シリンドリカルレンズ５６を透過してポリゴンミラー４２の反射面に入射する。
【００５０】
シリンドリカルレンズ５６は、副走査方向Ｙに対応する方向に各光束Ｌ１〜Ｌ４を略収束するように集光して線像に結像することによって、ポリゴンミラー４２のミラー面の加工誤差やポリゴンモーター４３の回転軸の傾き等に起因する反射面の傾き誤差（面倒れ）により生じる感光体ドラム１３Ｙ、１３Ｍ、１３Ｃおよび１３Ｋの走査面の副走査方向Ｙのドットピッチのずれを補正する。
【００５１】
ポリゴンミラー４２の反射面で反射された光束Ｌ１，Ｌ２，Ｌ３およびＬ４は、Ｆθ第１レンズ６３ａを通過することによって主走査および副走査の光線幅が収束しながら各反射ミラー６４ｄ、６４ｃ1、６４ｂ1、６４ａ1に入射する。
【００５２】
次に、第１結像光学系において、光束Ｌ１は、ポリゴンミラー４２の反射面で斜め上方向に反射された後、反射ミラー６４ａ1および６４ａ2で反射され、Ｆθ第２レンズ６３ｂ1を透過して、イエローのトナー像が形成される感光体ドラム１３Ｙに入射する。
また、第２結像光学系において、光束Ｌ２は、ポリゴンミラー４２の反射面で斜め下方向に反射された後、反射ミラー６４ｂ1および６４ｂ2で反射され、Ｆθ第２レンズ６３ｂ2を透過して、マゼンタのトナー像が形成される感光体ドラム１３Ｍに入射する。
また、第３結像光学系において、光束Ｌ３は、ポリゴンミラー４２の反射面で斜め下方向に反射された後、反射ミラー６４ｃ1および６４ｃ2で反射され、Ｆθ第２レンズ６３ｂ3を透過して、シアンのトナー像が形成される感光体ドラム１３Ｃに入射する。
また、第４結像光学系において、光束Ｌ４は、ポリゴンミラー４２の反射面で斜め上方向に反射された後、反射ミラー６４ｄで反射され、Ｆθ第２レンズ６３ｂ4を透過して、ブラックのトナー像が形成される感光体ドラム１３Ｋに入射する。
【００５３】
ポリゴンミラー４２は、六角柱や八角柱等の多角柱形状を有し、側面にミラーを備え、多角柱の中心軸まわりに回転する回転多面鏡である。ポリゴンミラー４２は、ポリゴンモーター４３により等角速度で回転し、各反射面で光束Ｌ１〜Ｌ４を逐次反射し、各光束Ｌ１〜Ｌ４を主走査方向Ｘに繰り返し等角速度で偏向させる。
これにより、感光体ドラム１３Ｙ、１３Ｍ、１３Ｃおよび１３Ｋの走査面を主走査方向Ｘに走査して、ドット状の静電潜像を等ピッチで形成する。
【００５４】
Ｆθ第２レンズ６３ｂ1、６３ｂ2、６３ｂ3および６３ｂ4は、球面レンズおよびトーリック面を有するトロイダルレンズから構成され、ポリゴンミラー４２の反射面で反射された各光束Ｌ１〜Ｌ４が、感光体ドラム１３Ｙ、１３Ｍ、１３Ｃおよび１３Ｋの走査面上で結像するように焦点距離を調整する。
また、Ｆθ第２レンズ６３ｂ1、６３ｂ2、６３ｂ3および６３ｂ4は、主走査方向Ｘおよび副走査方向Ｙのいずれについても各光束Ｌ１〜Ｌ４をそれぞれの感光体ドラム１３Ｙ、１３Ｍ、１３Ｃおよび１３Ｋ上の主走査線に沿って等線速度で移動するように変換する。
これにより、各光束Ｌ１〜Ｌ４がそれぞれの感光体ドラム１３Ｙ、１３Ｍ、１３Ｃおよび１３Ｋの表面を主走査方向Ｘに繰り返し走査する。
【００５５】
一方、イエロー、マゼンタ、シアンおよびブラックのトナー像が形成される各感光体ドラム１３Ｙ、１３Ｍ、１３Ｃおよび１３Ｋが回転駆動されて、各光束Ｌ１〜Ｌ４により該各感光体ドラム１３Ｙ、１３Ｍ、１３Ｃおよび１３Ｋの２次元表面（周面）が走査され、該各感光体ドラム１３Ｙ、１３Ｍ、１３Ｃおよび１３Ｋの表面にそれぞれの静電画像が形成される。
【００５６】
≪従来のサーミスタ８０Ｃの配置の問題点≫
次に、図８〜図１１に基づき、従来のサーミスタ８０Ｃの配置の問題点および本願発明のサーミスタ８０の配置について説明する。
図８（Ａ）は、本願発明のサーミスタ８０の配置の一例を示す説明図である。図８（Ｂ）は、本願発明のサーミスタ８０の配置の別の一例を示す説明図である。
また、図９は、従来のサーミスタ８０Ｃの配置の一例を示す説明図である。
【００５７】
各画像形成ステーションＰａ、Ｐｂ、Ｐｃ、Ｐｄでは、各感光体ドラム１３Ｙ、１３Ｍ、１３Ｃおよび１３Ｋ上にそれぞれの色の画像を形成してから、各感光体ドラム１３Ｙ、１３Ｍ、１３Ｃおよび１３Ｋの画像を中間転写ベルト２１に順次重ねるように転写する。それゆえ、光学部品の熱膨張などの影響により、中間転写ベルト２１上の各色の画像間で転写位置（画像位置）がずれる色ずれが発生した場合、カラー画像の品質が劣化することがある。
【００５８】
従来、この色ずれを低減する方法として、次のような方法が知られている。
具体的には、収納ケースＳＣの内部または周辺の温度をサーミスタ８０Ｃで検出し、各温度における主走査方向Ｘおよび副走査方向Ｙのイエロー、マゼンタ、シアンおよびブラックの各色の色ずれ量を計測して得られた色ずれ量の温度特性テーブルのデータをメモリ１０４に格納しておく。
【００５９】
次に、制御部１０１は、収納ケースＳＣの内部または周辺の温度をサーミスタ８０Ｃで検出させ、色ずれ量の温度特性テーブルを参照して、検出した温度に対応する各色の色ずれ量を求め、各感光体ドラム１３Ｙ、１３Ｍ、１３Ｃおよび１３Ｋ上に形成される各色の画像の位置を補正する。
【００６０】
感光体ドラム１３Ｙ、１３Ｍ、１３Ｃおよび１３Ｋ上の画像位置の補正は、通常、光走査装置１１の各レーザダイオードから出射される走査ビームによる各感光体ドラム１３Ｙ、１３Ｍ、１３Ｃおよび１３Ｋ上の静電潜像の書き込みタイミング等を制御することにより行われる。また、主走査方向Ｘの画像位置は、各感光体ドラム１３Ｙ、１３Ｍ、１３Ｃおよび１３Ｋ上の主走査ラインの長さおよび主走査方向Ｘの位置を調節することによって補正する。
【００６１】
このようにして、各感光体ドラム１３Ｙ、１３Ｍ、１３Ｃおよび１３Ｋの画像を中間転写ベルト２１に正確に重ねて転写形成するように制御する。
【００６２】
しかしながら、収納ケースＳＣ内にサーミスタ８０Ｃを設けた場合、ポリゴンモーター４３の回転時に発生した層流が乱流になって異音が生じるおそれがある。
また、Ｆθレンズ第１レンズ６３ａ等の光学部品上にサーミスタ８０Ｃを設けた場合、光学部品の光学性能に悪影響が生じるおそれがあり、また、ビス等でサーミスタ８０ＣをＦθレンズ第１レンズ６３ａ等上に固定することは困難である。
【００６３】
このような問題を回避するには、収納ケースＳＣの外にサーミスタ８０Ｃを設ける必要がある。
しかしながら、収納ケースＳＣの周辺にサーミスタ８０Ｃを設けた場合、色ずれ補正の精度が低くなるという問題が生じることがある。
【００６４】
次に、従来のサーミスタ８０Ｃの配置の問題点について説明する。
図９に示すように、従来、サーミスタ８０Ｃは、例えば、ポリゴンミラー４２からもっとも遠いＦθ第２レンズ６３ｂ4の下などの、収納ケースＳＣから離れた平坦部４１０ａに設けられていた。図９では、サーミスタ８０Ｃは、底板４１ａ上に設けられているが、筐体４１の外側、内面または外面の平坦部上に設けられることもある。
【００６５】
図１０は、収納ケースＳＣから離れた平坦部４１０ａにサーミスタ８０Ｃを設けたときの温度測定の結果を示すグラフである。ここで、図１０の縦軸は温度（℃）を示し、横軸は温度測定の開始後の時間（秒）を示す。
図１０において、グラフＧ１は、室温を示す。グラフＧ２は、サーミスタ８０Ｃによって測定された温度を示す。グラフＧ３は、Ｆθレンズ第１レンズ６３ａの温度を示す。
【００６６】
図１０は、０秒〜Ｔ１秒の間、印字を行った後、Ｔ２秒まで印字を停止し、その後、Ｔ２秒〜Ｔ３秒の間、印字を行った後、印字を停止した場合の温度変化のグラフを示している。
【００６７】
図１０に示すように、Ｆθレンズ第１レンズ６３ａの温度は、印字中に上昇するが、印字の停止中に減少する。
ここで、０秒の時点では、Ｆθレンズ第１レンズ６３ａの温度は約２５℃であるが、印字を再開したＴ２秒の時点では、Ｆθレンズ第１レンズ６３ａの温度は約３０℃にまで上昇している。また、サーミスタ８０Ｃによって測定された温度にも、同様の温度上昇の傾向が見られる。
【００６８】
これは、Ｆθレンズ第１レンズ６３ａおよびサーミスタ８０Ｃの温度が完全に冷却されないうちに、次の印字が開始されてポリゴンモーター４３の回転に伴う発熱による温度上昇が生じたためであると考えられる。
【００６９】
また、グラフＧ３の第１のピークＬＰ１および第２のピークＬＰ２の位置は、それぞれ第１の印字の停止時間Ｔ１および第２の印字の停止時間Ｔ２に一致している。
一方、グラフＧ２の第１のピークＴＰ１および第２のピークＴＰ２の位置は、それぞれＴ１およびＴ２よりも遅延している。
また、印字を停止した後のグラフＧ３の第１の底ＬＢ１は、Ｔ２に一致しているが、グラフＧ２の底ＴＢ１は、Ｔ２よりも遅延している。
これは、収納ケースＳＣから離れた平坦部４１０ａにサーミスタ８０Ｃが設けられており、ポリゴンモーター４３の熱が遅延してサーミスタ８０Ｃに伝達されるためであると考えられる。
【００７０】
図１１（Ａ）は、収納ケースＳＣから離れた平坦部４１０ａにサーミスタ８０Ｃを設けたときのサーミスタ８０Ｃの温度とＣＭＹＫ各色の色ずれ量との関係を示すグラフである。また、図１１（Ｂ）は、収納ケースＳＣから離れた平坦部４１０ａにサーミスタ８０Ｃを設けたときのＦθレンズ第１レンズ６３ａの温度とＣＭＹＫ各色の主走査方向Ｘの色ずれ量との関係を示すグラフである。
図１１（Ａ）において、縦軸はＣＭＹＫ各色の主走査方向Ｘの色ずれ量（ｍｍ）を示し、横軸はサーミスタ８０Ｃの温度（℃）を示す。また、図１１（Ｂ）において、縦軸はＣＭＹＫ各色の主走査方向Ｘの色ずれ量（ｍｍ）を示し、横軸はＦθレンズ第１レンズ６３ａの温度（℃）を示す。
【００７１】
図１１（Ａ）（Ｂ）に示すように、ＣＭＹ各色の主走査方向Ｘの色ずれ量と温度との関係は比例関係（図の破線）から外れるため、色ずれ量の予測が困難になり、色ずれ補正の精度が低くなる。
【００７２】
このような比例関係からのずれが生じる理由としては、図９に示すように、例えば、ポリゴンミラー４２からもっとも遠いＦθ第２レンズ６３ｂ4の下などの、収納ケースＳＣから離れた平坦部４１０ａにサーミスタ８０Ｃを設けた場合、ポリゴンモーター４３の熱が遅延して伝達されるだけでなく、熱が拡散しやすくなるため、印字の停止中にサーミスタ８０Ｃの温度が必要以上に低下するためであると考えられる。
【００７３】
そこで、このような問題を回避すべく、本願発明では、図４および図８（Ａ）に示すように、収納ケースＳＣの上面に設けた凹部に設けられたプリント基板ＰＷＢにサーミスタ８０を設ける。
あるいは、図８（Ｂ）に示すように、収納ケースＳＣの周辺のリブに設けられたプリント基板ＰＷＢにサーミスタ８０を設けてもよい。
【００７４】
≪この発明の実施形態１に係る収納ケースＳＣにおけるサーミスタ８０の配置≫
次に、図１２〜図１４に基づき、この発明の実施形態１に係る収納ケースＳＣにおけるサーミスタ８０の配置について説明する。
図１２（Ａ）は、この発明の実施形態１に係る収納ケースＳＣにおけるサーミスタ８０の配置の一例を示す説明図である。
【００７５】
図１２（Ａ）に示すように、収納ケースＳＣの上面に凹部を設け、当該凹部内にサーミスタ８０を設け、プリント基板ＰＷＢで蓋をする。
【００７６】
図１３は、収納ケースＳＣの上面の凹部にサーミスタ８０を設けたときの温度測定の結果を示すグラフである。図１３の縦軸は温度（℃）を示し、横軸は温度測定の開始後の時間（秒）を示す。
図１３において、グラフＧ１は、室温を示す。グラフＧ３は、Ｆθレンズ第１レンズ６３ａの温度を示す。グラフＧ４は、サーミスタ８０によって測定された温度を示す。グラフＧ５は、収納ケースＳＣ内の温度を示す。
【００７７】
図１３は、０秒〜Ｔ１秒の間、印字を行った後、Ｔ２秒まで印字を停止し、その後、Ｔ２秒で印字を再開した場合の温度変化のグラフを示している。
【００７８】
図９の場合と異なり、グラフＧ４の第１のピークＴＰ１の位置は、グラフＧ３の第１のピークＬＰ１の位置と一致している。
また、印字を停止した後のグラフＧ４の第１の底ＴＢ１の位置も、グラフＧ３の第１の底ＬＢ１と一致している。
また、グラフＧ４の第１のピークＴＰ１および第１の底ＴＢ１の位置は、それぞれグラフＧ５の第１のピークＳＣＰ１および第１の底ＳＣＢ１とも一致する。
それゆえ、収納ケースＳＣの上面の凹部にサーミスタ８０Ｃを設けた場合、ポリゴンモーター４３の熱が遅延せずにサーミスタ８０Ｃに伝達されているものと考えられる。
【００７９】
図１４は、収納ケースＳＣの上面の凹部にサーミスタ８０を設けたときのサーミスタ８０の温度とＣＭＹＫ各色の主走査方向Ｘの色ずれ量との関係を示すグラフである。
図１４において、縦軸はＣＭＹＫ各色の主走査方向Ｘの色ずれ量（ｍｍ）を示し、横軸はサーミスタ８０の温度（℃）を示す。
【００８０】
図１４に示すように、ＣＭＹＫ各色の主走査方向Ｘの色ずれ量と温度との関係は概ね比例関係にある。
これは、ポリゴンモーター４３の熱が遅延せずにサーミスタ８０に伝達されるためであるものと考えられる。
【００８１】
このように、収納ケースＳＣの上面に形成された凹部内にサーミスタ８０を設けることによって、ポリゴンモーター４３の発熱に伴う温度変化を従来よりも高い精度で検知する光走査装置１を実現できる。
【００８２】
なお、実施形態１では、プリント基板ＰＷＢで蓋をしたが、プリント基板ＰＷＢ以外の部材で蓋をするようにしてもよい。
【００８３】
次に、図１２（Ｂ）（Ｃ）に基づき、実施形態１の変形例について説明する。
図１２（Ｂ）（Ｃ）は、この発明の実施形態１に係る収納ケースＳＣにおけるサーミスタ８０の配置の変形例を示す説明図である。
【００８４】
（変形例１−１）
実施形態１の第１の変形例として、図１２（Ｂ）に示すように、収納ケースＳＣの側面に凹部を設け、当該凹部内にサーミスタ８０を設け、プリント基板ＰＷＢで蓋をしてもよい。
【００８５】
（変形例１−２）
また、実施形態１の第２の変形例として、図１２（Ｃ）に示すように、凹部内にサーミスタ８０を有し、プリント基板ＰＷＢで蓋をされた部材ＳＣ１を、収納ケースＳＣの上面に設けられた開口部に装着することによって、図１２（Ａ）の配置を実現してもよい。
また、収納ケースＳＣの側面に設けられた開口部に部材ＳＣ１を装着することによって、図１２（Ｂ）の配置を構成してもよい。
【００８６】
（実施形態２）
次に、図１５に基づき、この発明の実施形態２に係る収納ケースＳＣにおけるサーミスタ８０の配置について説明する。
図１５は、この発明の実施形態２に係る収納ケースＳＣにおけるサーミスタ８０の配置の一例を示す説明図である。
【００８７】
図１５（Ａ）に示すように、収納ケースＳＣの上面に凸部を設け、当該凸部内にサーミスタ８０を設け、プリント基板ＰＷＢで蓋をしてもよい。
【００８８】
このようにすれば、ポリゴンモーター４３の回転時に発生した層流が乱流になりにくく、かつ、ポリゴンモーター４３の発熱に伴う温度変化を従来よりも高い精度で検知する光走査装置１を実現できる。
【００８９】
（変形例２）
また、実施形態２の変形例として、図１５（Ｂ）に示すように、収納ケースＳＣの側面に凸部を設け、当該凸部内にサーミスタ８０を設け、プリント基板ＰＷＢで蓋をしてもよい。
【００９０】
（実施形態３）
次に、図１６に基づき、この発明の実施形態３に係る収納ケースＳＣにおけるサーミスタ８０の配置について説明する。
図１６（Ａ）は、この発明の実施形態３に係る収納ケースＳＣにおけるサーミスタ８０の配置の一例を示す説明図である。図１６（Ｂ）は、図１６（Ａ）のサーミスタ８０を副走査方向Ｙから見たときの説明図である。
【００９１】
図１６（Ａ）（Ｂ）に示すように、収納ケースＳＣの側面上端に凹部を設け、当該凹部内にサーミスタ８０を設けてプリント基板ＰＷＢで蓋をしてもよい。
【００９２】
このように、収納ケースＳＣの外にサーミスタ８０を設けた場合であっても、ポリゴンモーター４３の発熱に伴う温度変化を従来よりも高い精度で検知する光走査装置１を実現できる。
【００９３】
（変形例３−１）
また、実施形態３の変形例として、収納ケースＳＣの上面端部に凹部を設け、当該凹部内にサーミスタ８０を設けてプリント基板ＰＷＢで蓋をしてもよい。
【００９４】
（変形例３−２）
次に、実施形態３の別の変形例について説明する。
図１６（Ｃ）は、この発明の実施形態３に係る収納ケースＳＣにおけるサーミスタ８０の配置の変形例を示す説明図である。
【００９５】
図１６（Ｃ）に示すように、凹部内にサーミスタ８０およびプリント基板ＰＷＢを有する部材ＳＣ２を、収納ケースＳＣの側面に装着することによって、図１６（Ａ）の配置を構成してもよい。
【００９６】
（実施形態４）
次に、図１７に基づき、この発明の実施形態４に係る収納ケースＳＣにおけるサーミスタ８０の配置について説明する。
図１７（Ａ）は、この発明の実施形態３に係る収納ケースＳＣにおけるサーミスタ８０の配置の一例を示す説明図である。図１７（Ｂ）は、図１７（Ａ）のサーミスタ８０を副走査方向Ｙから見たときの説明図である。
【００９７】
図１７（Ａ）（Ｂ）に示すように、収納ケースＳＣの側面下端に凹部を設け、当該凹部内にサーミスタ８０を設けてプリント基板ＰＷＢで蓋をしてもよい。
【００９８】
このように、収納ケースＳＣの外にサーミスタ８０を設けた場合であっても、ポリゴンモーター４３の発熱に伴う温度変化を従来よりも高い精度で検知する光走査装置１を実現できる。
【００９９】
（変形例４）
次に、実施形態４の変形例について説明する。
図１７（Ｃ）は、この発明の実施形態４に係る収納ケースＳＣにおけるサーミスタ８０の配置の変形例を示す説明図である。
【０１００】
図１７（Ｃ）に示すように、凹部内にサーミスタ８０およびプリント基板ＰＷＢを有する部材ＳＣ３を、収納ケースＳＣの側面に装着することによって、図１７（Ａ）の配置を構成してもよい。
【０１０１】
（実施形態５）
次に、図１８に基づき、この発明の実施形態５に係る収納ケースＳＣにおけるサーミスタ８０の配置について説明する。
図１８（Ａ）は、この発明の実施形態５に係る収納ケースＳＣにおけるサーミスタ８０の配置の一例を示す説明図である。
【０１０２】
図１８（Ａ）に示すように、収納ケースＳＣの周縁部に凸部を設け、当該凸部内にサーミスタ８０を設けてプリント基板ＰＷＢで蓋をしてもよい。
【０１０３】
このように、収納ケースＳＣの周縁部にサーミスタ８０を設けた場合であっても、ポリゴンモーター４３の発熱に伴う温度変化を従来よりも高い精度で検知する光走査装置１を実現できる。
【０１０４】
（変形例５）
次に、図１８（Ｂ）に基づき、実施形態５の変形例について説明する。
図１８（Ｂ）は、この発明の実施形態５に係る収納ケースＳＣにおけるサーミスタ８０の配置の変形例を示す説明図である。
【０１０５】
図１８（Ｂ）に示すように、収納ケースＳＣの周縁部に凹部を設け、当該凹部内にサーミスタ８０を設け、プリント基板ＰＷＢで蓋をしてもよい。
【０１０６】
（実施形態６）
次に、図１９に基づき、この発明の実施形態６に係る収納ケースＳＣにおけるサーミスタ８０の配置について説明する。
図１９（Ａ）は、この発明の実施形態６に係る収納ケースＳＣにおけるサーミスタ８０の配置の一例を示す説明図である。
【０１０７】
図１９（Ａ）に示すように、収納ケースＳＣの上面にリブを設け、当該リブ内にサーミスタ８０を設けてプリント基板ＰＷＢで蓋をしてもよい。
【０１０８】
このように、収納ケースＳＣの上面にリブを設けてサーミスタ８０を設けた場合であっても、ポリゴンモーター４３の発熱に伴う温度変化を従来よりも高い精度で検知する光走査装置１を実現できる。
【０１０９】
（変形例６）
次に、図１９（Ｂ）に基づき、実施形態６の変形例について説明する。
図１９（Ｂ）は、この発明の実施形態６に係る収納ケースＳＣにおけるサーミスタ８０の配置の変形例を示す説明図である。
【０１１０】
図１９（Ｂ）に示すように、収納ケースＳＣの周縁部にリブを設け、当該リブ内にサーミスタ８０を設けてプリント基板ＰＷＢで蓋をしてもよい。
【０１１１】
（実施形態７）
次に、図２０に基づき、この発明の実施形態７に係る収納ケースＳＣにおけるサーミスタ８０の配置について説明する。
図２０は、この発明の実施形態７に係る収納ケースＳＣにおけるサーミスタ８０の配置の一例を示す説明図である。
【０１１２】
図２０に示すように、収納ケースＳＣの上面に凹部を設け、当該凹部内に熱伝導率の高い弾性部材９０（ゴムなど）をはさんでサーミスタ８０を設け、プリント基板ＰＷＢで蓋をしてもよい。
【０１１３】
このように、収納ケースＳＣの上面にサーミスタ８０を設けた場合であっても、熱伝導性の高い弾性部材９０との接触を介してポリゴンモーター４３の発熱に伴う温度上昇を適切に検知する光走査装置１１を実現できる。
【０１１４】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１１５】
１１：光走査装置、    １２：現像装置、    １３，１３Ｙ，１３Ｍ，１３Ｃ，１３Ｋ：感光体ドラム、    １４：ドラムクリーニング装置、    １５：帯電器、    １７：定着装置、    １８：給送トレイ、    ２１：中間転写ベルト、    ２２：ベルトクリーニング装置、    ２３：２次転写装置、    ２３ａ：転写ローラ、    ２４：加熱ローラ、    ２５：加圧ローラ、    ３３：ピックアップローラ、    ３４：レジストローラ、    ３５：搬送ローラ、    ３６：排出ローラ、    ３９：排出トレイ、    ４１：筐体、    ４１ａ：底板、    ４１ｂ，４１ｃ：側板、    ４１ｔ：上蓋、    ４１ｔ1，４１ｔ2，４１ｔ3，４１ｔ4：窓部、    ４１ｄ，４１ｅ：段差、    ４２，４３：ポリゴンモーター、    ４４ａ：第１半導体レーザー、    ４４ｂ：第２半導体レーザー、    ４４ｃ：第３半導体レーザー、    ４４ｄ：第４半導体レーザー、    ５３ａ，５３ｂ，５３ｃ，５３ｄ：コリメータレンズ、    ５４ａ，５４ｂ，５４ｃ，５４ｄ：アパーチャー、    ５５ａ，５５ｂ，５５ｃ，５５ｄ：ミラー、    ５６：シリンドリカルレンズ、    ６３ａ：Ｆθ第１レンズ、    ６３ｂ1，６３ｂ2，６３ｂ3，６３ｂ4：Ｆθ第２レンズ、    ６４ａ1，６４ａ2，６４ｂ1，６４ｂ2，６４ｃ1，６４ｃ2，６４ｄ：反射ミラー、    ６５ｂ1，６５ｂ2，６５ｂ3，６５ｂ4：Ｆθ第２レンズ保持部、    ６６ａ，６６ｂ：スプリングビス、    ６６ａ1，６６ａ2，６６ａ3，６６ａ4，６６ｂ1，６６ｂ2，６６ｂ3，６６ｂ4，６７ａ，６７ｂ：ビス、    ７１，７２：Ｆθ第２レンズ支持部、    ７２ｂ5：突起、    ８０，８０Ｃ：サーミスタ、    ８１：レジストセンサ、    ９０：弾性部材、    ９１：結露防止用ヒーター、    １００：画像形成装置、    １０１：制御部、    １０２：印刷部、    １０３：入力操作部、    １０４：メモリ、    １１１：画像読取装置、    １１２：原稿搬送装置、    ４１０ａ：平坦部、    Ａ，Ｂ，Ｃ：矢印、    Ｇ１，Ｇ２，Ｇ３，Ｇ４，Ｇ５：グラフ、    Ｌ１，Ｌ２，Ｌ３，Ｌ４：光束、    Ｐａ，Ｐｂ，Ｐｃ，Ｐｄ：画像形成ステーション、    ＳＣ：収納ケース、    ＳＣ１，ＳＣ２，ＳＣ３：部材、    Ｒ１：シート搬送経路、    ＬＰ１，ＬＰ２，ＳＣＰ１，ＴＰ１，ＴＰ２：ピーク、    ＬＢ１，ＳＣＢ１，ＴＢ１：底、    ＰＷＢ：プリント基板、    Ｘ：主走査方向、    Ｙ：副走査方向、    Ｚ：高さ方向
【図１】
2018146728.tif 000003
【図２】
2018146728.tif 000004
【図３】
2018146728.tif 000005
【図４】
2018146728.tif 000006
【図５】
2018146728.tif 000007
【図６】
2018146728.tif 000008
【図７（Ａ）】
2018146728.tif 000009
【図７（Ｂ）】
2018146728.tif 000010
【図８（Ａ）】
2018146728.tif 000011
【図８（Ｂ）】
2018146728.tif 000012
【図９】
2018146728.tif 000013
【図１０】
2018146728.tif 000014
【図１１（Ａ）】
2018146728.tif 000015
【図１１（Ｂ）】
2018146728.tif 000016
【図１２（Ａ）】
2018146728.tif 000017
【図１２（Ｂ）】
2018146728.tif 000018
【図１２（Ｃ）】
2018146728.tif 000019
【図１３】
2018146728.tif 000020
【図１４】
2018146728.tif 000021
【図１５（Ａ）】
2018146728.tif 000022
【図１５（Ｂ）】
2018146728.tif 000023
【図１６（Ａ）】
2018146728.tif 000024
【図１６（Ｂ）】
2018146728.tif 000025
【図１６（Ｃ）】
2018146728.tif 000026
【図１７（Ａ）】
2018146728.tif 000027
【図１７（Ｂ）】
2018146728.tif 000028
【図１７（Ｃ）】
2018146728.tif 000029
【図１８（Ａ）】
2018146728.tif 000030
【図１８（Ｂ）】
2018146728.tif 000031
【図１９（Ａ）】
2018146728.tif 000032
【図１９（Ｂ）】
2018146728.tif 000033
【図２０】
2018146728.tif 000034